(57)【要約】【課題】二重セル動作の範囲は、将来のＷＣＤＭＡリリースまたは他のワイヤレスシステムにおいて、たとえば、非近接周波数に、または複数の周波数帯に渡るように拡張されるので、移動手順（たとえば、測定報告）および他の手順が影響を受けることになる。したがって、二重セル動作のための方法および機器の改善が必要である。【解決手段】移動（モビリティ）手順を実装するように構成された二重セルまたは多重セル無線送受信ユニット（ＷＴＲＵ）について記述する。このＷＴＲＵ構成は、セル探索及びセル再選択、測定報告及び周波数間ハンドオーバ、圧縮モード測定、並びに、ソフトハンドオーバの手順の移動性を最適化し、可能にするための方法を実装する。【選択図】図１
2014212530.tif 000002
【特許請求の範囲】
【請求項１】
多重キャリア無線送受信ユニット（ＷＴＲＵ）のための方法において、
複数のキャリアを介してダウンリンク通信内容を受信するステップと、
前記複数のキャリアの少なくとも１つを用いて移動（モビリティ）手順を実施するステップと
を含むことを特徴とする方法。
【請求項２】
前記移動手順を実施するステップが、
前記複数のキャリアの優先順位を示すキャリア優先順位を受信すること、及び、
最も高いキャリア優先順位に関連付けられたセルに留まること
によって、セル再選択を実施するステップを含むことを特徴とする請求項１に記載の方法。
【請求項３】
前記セルに留まることは、アンカーセルに留まることを含むことを特徴とする請求項２に記載の方法。
【請求項４】
前記受信するステップは、２つのキャリアについてであり、
前記複数のキャリアの１つは補足キャリアであり前記複数のキャリアの１つはアンカーキャリアであるという指示を受信するステップであって、前記アンカーキャリアがアンカーセルに関連付けられ、前記補足キャリアが補足セルに関連付けられる、ステップをさらに含むことを特徴とする請求項１に記載の方法。
【請求項５】
前記移動手順を実施するステップはセル選択を含み、前記セル選択は、前記アンカーセルに留まることを含むことを特徴とする請求項４に記載の方法。
【請求項６】
前記移動手順を実施するステップは、
新しいキャリアを求めて無線周波数（ＲＦ）キャリアを走査するステップと、
該新しいＲＦキャリアに関連付けられた適切なセルを検出するステップと、
該新しいキャリアが或る一定の優先順位を持つという条件で、該新しいＲＦキャリアを介してダウンリンク通信を受信することを再選択するステップと
を含むことを特徴とする請求項４に記載の方法。
【請求項７】
前記走査するステップは、前記アンカーセルまたは前記補足セルの信号レベルまたは品質と、閾値との比較に基づいて実施されることを特徴とする請求項６に記載の方法。
【請求項８】
前記走査するステップは、同じまたはより高いキャリア優先順位を持つキャリアについて実施されることを特徴とする請求項６に記載の方法。
【請求項９】
前記移動手順を実施するステップは、
対応する補足測定機会において前記補足セルから不連続受信（ＤＲＸ）を受信するステップと、
前記補足キャリアについて周波数間測定を行うステップと
を含むことを特徴とする請求項４に記載の方法。
【請求項１０】
前記移動手順を実施するステップは、補足キャリアハンドオーバーを実施するステップを含むことを特徴とする請求項４に記載の方法。
【請求項１１】
前記移動手順を実施するステップは、前記アンカーキャリア及び前記補足キャリア用セクター以外のセクター内部のキャリアの測定を行うステップを含むことを特徴とする請求項４に記載の方法。
【請求項１２】
前記キャリアの測定を行うステップは、前記アンカーセルまたは前記補足セルのどちらかの共通パイロットチャネル（ＣＰＣＨ）信号品質と、閾値との比較に基づいてトリガされることを特徴とする請求項１１に記載の方法。
【請求項１３】
前記移動手順を実施するステップは、
チャネル品質指示（ＣＱＩ）を監視するステップと、
同じセクターまたは隣接するセクター内の前記キャリアの品質を報告するＣＱＩをトリガするステップと
をさらに含むことを特徴とする請求項１１に記載の方法。
【請求項１４】
前記移動手順を実施するステップは、
前記補足セルにおける失敗ダウンリンク（ＤＬ）メディアアクセス制御（ＭＡＣ）プロトコルデータ単位（ＰＤＵ）の数を監視するステップをさらに含むことを特徴とする請求項１１に記載の方法。
【請求項１５】
前記移動手順を実施するステップは、
設定された期間中に失敗ＤＬ  ＭＡＣ  ＰＤＵの数が閾値を上回るかどうか、及び、連続する失敗ＤＬ  ＭＡＣ  ＰＤＵの数が閾値を上回るかどうかの少なくとも一方を調べるステップをさらに含むことを特徴とする請求項１１に記載の方法。
【請求項１６】
隣接するセルのキャリア測定値を報告するステップをさらに含むことを特徴とする請求項１１に記載の方法。
【請求項１７】
前記移動手順を実施するステップは、新しいアンカーセルに関連付けられた新しいアンカーキャリアにハンドオーバーするステップを含むことを特徴とする請求項４に記載の方法。
【請求項１８】
前記ハンドオーバーするステップは、
前記新しいアンカーセル内で同期及び物理チャネルを確立する間、前記補足キャリアに関連付けられた前記補足セルとの接続を維持するステップを含むことを特徴とする請求項１７に記載の方法。
【請求項１９】
前記ハンドオーバーするステップは、
前記補足キャリアが前記新しいアンカーキャリアとして使われる場合に前記新しいアンカーセルが確立されると、新しい補足セルを確立するステップをさらに含むことを特徴とする請求項１８に記載の方法。
【請求項２０】
前記ハンドオーバーするステップは、
前記アンカーセルに対応するハイブリッド自動再送リクエスト（ＨＡＲＱ）プロセスをフラッシュするステップをさらに含むことを特徴とする請求項１８に記載の方法。
【請求項２１】
前記ハンドオーバーするステップは、前記アンカーセル及び前記補足セルに対応するハイブリッド自動再送リクエスト（ＨＡＲＱ）プロセスをフラッシュするステップをさらに含むことを特徴とする請求項１７に記載の方法。
【請求項２２】
前記移動手順を実施するステップは、圧縮モード測定を実施するステップを含むことを特徴とする請求項４に記載の方法。
【請求項２３】
前記圧縮モード測定を実施するステップは、
測定制御メッセージに入れて受信された前記補足キャリアに測定ギャップを適用するステップと、
測定ギャップ中に前記補足キャリアを無効化するステップと、
他の周波数または無線アクセス技術（ＲＡＴ）間測定を実施するステップと
を含むことを特徴とする請求項２２に記載の方法。
【請求項２４】
各キャリアはセルに関連付けられ、前記移動手順を実施するステップは、
前記複数のキャリアそれぞれを走査して、前記複数のキャリアに関連付けられた前記セルの中から最も強いセルを判定するステップと、
前記最も強いセルに関連付けられた前記ＰＬＭＮを判定するステップと、
前記最も強いセルに関連付けられると判定された前記ＰＬＭＮを選択するステップと
を含む、公衆地上移動ネットワーク（ＰＬＭＮ）選択を実施するステップを含むことを特徴とする請求項１に記載の方法。
【請求項２５】
多重キャリア無線送受信ユニット（ＷＴＲＵ）において、
複数のキャリアを介してダウンリンク通信内容を受信するように構成された受信機構成要素と、
前記複数のキャリアの少なくとも１つからの受信信号を用いて移動手順を実施するように構成された処理構成要素と
を備えることを特徴とする多重キャリア無線送受信ユニット。
【請求項２６】
前記受信機構成要素は、前記複数のキャリアすべてを介してダウンリンク通信内容を受信するように構成されたアンテナ及び受信機を含むことを特徴とする請求項２５に記載の多重キャリア無線送受信ユニット。
【請求項２７】
前記受信機構成要素は複数のアンテナ及び関連付けられた受信機を含み、１つのアンテナ及び関連付けられた受信機が、前記複数のキャリアの１つを介してダウンリンク通信内容を受信するように構成されることを特徴とする請求項２５に記載の多重キャリア無線送受信ユニット。
【請求項２８】
前記処理構成要素は、前記複数のキャリアの優先順位を示す、受信したキャリア優先順位を処理し、最も高いキャリア優先順位に関連付けられたセルに留まるように前記受信構成要素を制御することによって、セル再選択を実施するように構成されることを特徴とする請求項２５に記載の多重キャリア無線送受信ユニット。
【請求項２９】
前記受信機構成要素は、前記複数のキャリアの１つが、主セルに関連付けられた主キャリアであり他のキャリアが補足セルに関連付けられるという指示を受信するように構成されることを特徴とする請求項２５に記載の多重キャリア無線送受信ユニット。
【請求項３０】
前記処理構成要素は、
新しいキャリアを求めて無線周波数（ＲＦ）キャリアを走査するように前記受信機構成要素を制御し、
該新しいＲＦキャリアに関連付けられた適切なセルを検出し、
該新しいキャリアが或る一定の優先順位を持つという条件で、該新しいＲＦキャリアを介してダウンリンク通信を受信することを再選択するように前記受信機構成要素を制御する
ように構成されることを特徴とする請求項２９に記載の多重キャリア無線送受信ユニット。
【請求項３１】
前記処理構成要素は、前記受信機構成要素を制御して少なくとも選択された程度のキャリア優先順位を持つキャリアを走査するように構成されることを特徴とする請求項２９に記載の多重キャリア無線送受信ユニット。
【請求項３２】
前記処理構成要素は、前記受信機構成要素を制御して対応する測定機会において補足セルから不連続受信（ＤＲＸ）を受信し及び補足キャリアについて周波数間測定を行うように構成されることを特徴とする請求項２９に記載の多重キャリア無線送受信ユニット。
【請求項３３】
前記処理構成要素は、前記受信機構成要素を制御して、前記主キャリアの受信を維持しながら補足キャリアハンドオーバーを実施するように構成されることを特徴とする請求項２９に記載の多重キャリア無線送受信ユニット。
【請求項３４】
前記処理構成要素は、前記受信機構成要素を制御して、前記主キャリア用のセクター以外のセクター内部のキャリアの測定を行って、前記主セルの共通パイロットチャネル（ＣＰＣＨ）信号品質と閾値との比較に基づいてキャリアの測定実施がトリガされるように構成されることを特徴とする請求項２９に記載の多重キャリア無線送受信ユニット。
【請求項３５】
送信機構成要素をさらに備え、前記処理構成要素は、前記受信機構成要素を制御して、前記複数のキャリアにおける前記受信品質を報告するためのチャネル品質指示（ＣＱＩ）及びＣＱＩ報告の送信を監視するように構成されることを特徴とする請求項２５に記載の多重キャリア無線送受信ユニット。
【請求項３６】
前記処理構成要素は、前記受信機構成要素を制御して、前記補足セルにおける失敗ダウンリンク（ＤＬ）メディアアクセス制御（ＭＡＣ）プロトコルデータ単位（ＰＤＵ）の数を監視するように構成されることを特徴とする請求項２９に記載の多重キャリア無線送受信ユニット。
【請求項３７】
前記処理構成要素は、前記受信機構成要素を制御して、前記主キャリアから、新しい主セルに関連付けられた新しい主キャリアに通信をハンドオーバーするように構成されることを特徴とする請求項２９に記載の多重キャリア無線送受信ユニット。
【請求項３８】
前記処理構成要素は、前記受信機構成要素を制御して、補足キャリアが前記新しい主キャリアとして使われる場合に前記新しい主セルが確立されると、新しい補足セルを確立するように構成されることを特徴とする請求項３６に記載の多重キャリア無線送受信ユニット。
【請求項３９】
前記処理構成要素は、前記受信機構成要素を制御して、
測定制御メッセージに入れて受信された補足キャリアに測定ギャップを適用し、
測定ギャップ中に前記補足キャリアを無効化し、及び、
他の周波数または無線アクセス技術（ＲＡＴ）間測定を実施する
ことによって、圧縮モード測定を実施するように構成されることを特徴とする請求項２９に記載の多重キャリア無線送受信ユニット。
【請求項４０】
各キャリアはセルに関連付けられ、前記処理構成要素は、前記受信機構成要素を制御して、
前記複数のキャリアそれぞれを走査して、前記複数のキャリアに関連付けられた前記セルの中から最も強いセルを判定すること、
前記最も強いセルに関連付けられた公衆地上移動ネットワーク（ＰＬＭＮ）を判定すること、及び、
前記最も強いセルに関連付けられると判定された前記ＰＬＭＮを選択すること
を含む、前記ＰＬＭＮの選択を実施するように構成されることを特徴とする請求項２５に記載の多重キャリア無線送受信ユニット。
【発明の詳細な説明】
【技術分野】
【０００１】
本出願は、無線（ワイヤレス）通信機器および方法に関する。
【背景技術】
【０００２】
第３世代パートナーシッププロジェクト（３ＧＰＰ）広帯域符号分割多重アクセス（ＷＣＤＭＡ）標準の継続中の発展の一部として、二重セル高速ダウンリンクパケットアクセス（ＨＳＤＰＡ）（ＤＣ−ＨＳＤＰＡ）が、３ＧＰＰにおいて承認されている。二重セルＨＳＤＰＡは、高速パケットアクセス（ＨＳＰＡ）の自然な発展であり、より大きいダウンリンクデータパイプを作成するために、第２のＨＳＰＡキャリア（すなわち２つの５ＭＨｚダウンリンクキャリア）の使用を可能にする。
【０００３】
ＤＣ−ＨＳＤＰＡ動作は、単一（シングル）キャリアカバー（coverage）エリアと二重（デュアル）キャリアカバーエリアとの間のシームレスな相互動作により、リリース７、６、５、およびリリース９９装置との後方互換性がある。二重セル動作により、スループット増大および待ち時間短縮の両方がもたらされる。最も重要なこととして、より多くの無線送受信ユニット（ＷＴＲＵ）が、特に、多重入出力（ＭＩＭＯ）などの技法が利用されない乏しい無線条件において、より高いデータレートを利用することができる。システム性能の点では、二重セルＨＳＤＰＡは、複数のキャリアにおける効率的な負荷最適配分および或る程度の容量増加を実現する。
【０００４】
３ＧＰＰ標準のリリース８における、合意された二重セル動作は、ダウンリンクに当てはまるに過ぎず、アップリンク（ＵＬ）送信は、単一セル、すなわちキャリアに制限される。さらに、２つのダウンリンクセルが同じノードＢに属し、近接キャリア上にある（かつ、拡張して、キャリアは同じ周波数帯中にある）こと、また、２つのダウンリンクセルが同じ地域エリア（セクター）をカバーすること、という追加制限が課されている。したがって、二重セル可能ＷＴＲＵは、２つのダウンリンクキャリア（アンカーキャリアおよび補足キャリア）を受信し、１つのアップリンクアンカーキャリアを送信するように構成され得る。ダウンリンクアンカーキャリアは、アップリンクアンカーキャリアと適合される。
【０００５】
移動性（モビリティ：mobility）に関して、ＷＴＲＵは、そのすべての移動性決定をアンカーセルに基づく。補足キャリア（supplementary carrier）は、リリース８においてアンカーキャリア（Anchor carrier）に近接するように制限されるので、２つのセルとＷＴＲＵとの間の経路損失(pass loth)は類似している。したがって、補足キャリアに基づいて移動手順（モビリティ手順）を実施する必要はないことが決定された。
【発明の概要】
【発明が解決しようとする課題】
【０００６】
二重セル動作の範囲は、将来のＷＣＤＭＡリリースまたは他の無線システムにおいて、たとえば、非近接周波数に、または複数の周波数帯に渡るように拡張されるので、移動手順（たとえば、測定報告）および他の手順が影響を受けることになる。したがって、二重セル動作のための方法および機器の改善が必要である。
【課題を解決するための手段】
【０００７】
移動手順を実装するように構成された二重セルまたは多重セル無線送受信ユニット（ＷＴＲＵ）について記載する。このＷＴＲＵ構成は、セル探索およびセル再選択、測定報告および周波数間ハンドオーバ、圧縮モード測定、並びに、ソフトハンドオーバの手順の移動性を最適化し、可能にするための方法を実装する。
【図面の簡単な説明】
【０００８】
【図１】無線通信システム例を示す図である。
【図２】二重セル動作可能無線送受信ユニット（ＷＴＲＵ）を示す図である。
【図３】キャリア内にアンカーおよび補足セルを持つ展開を示す図である。
【図４】キャリア優先順位を用いてセルへのアクセスを制限する方法を示すフロー図である。
【図５】同一キャリア周波数における二重セル動作を示す図である。
【発明を実施するための形態】
【０００９】
添付の図面とともに例として挙げる以下の説明により、より詳細な理解が得られよう。
【００１０】
これ以降で言及する場合、「無線送受信ユニット（ＷＴＲＵ）」という用語は、ユーザ機器（ＵＥ）、移動局、固定若しくは携帯電話加入者ユニット、ページャ、セルラー電話、ＰＤＡ（携帯情報端末）、コンピューター、または無線環境において動作することが可能な他のどのタイプのユーザ装置も含むが、それに限定されない。これ以降で言及する場合、「基地局（base station）」という用語は、ノードＢ、サイトコントローラー、アクセスポイント（ＡＰ）、または無線環境において動作することが可能な他のどのタイプのインターフェイス装置も含むが、それに限定されない。
【００１１】
これ以降で言及する場合、「セクター（sector）」という用語は、同じ基地局に属し、同じ地域エリアをカバーする１つまたは複数のセルを含むが、それに限定されない。「アンカーキャリア（Anchor Carrier）」という用語は、ＷＴＲＵに割り当てられたアップリンク周波数キャリアに関連付けられたダウンリンク周波数キャリアを含むが、それに限定されない。「補足キャリア（Supplementary Carrier）」という用語は、アンカーキャリアではないダウンリンク周波数キャリアを指す。「二重セル（dual cell）」という用語は、ＷＴＲＵによって受信される２つのＨＳ−ＤＳＣＨ送信を指す。「セル（cell）」の物理的実現は、コンテキストに依存する。たとえば、ＷＣＤＭＡリリース８の場合、二重セルにおける「セル」は、２つのダウンリンクキャリアを指す。但し、将来のリリースおよび他の無線システムでは、二重セルにおける「セル」という用語は、同じキャリア周波数における２つのセクターを指し得る。
【００１２】
これ以降で言及する場合、「隣接するセルキャリア（neighboring cell carrier）」という用語は、ＷＴＲＵが二重セル動作を一緒に実施することができる、アンカーセル、すなわち主セルの同じセクター内部でサポートされるキャリアの１つを指す。
【００１３】
図１は、複数のＷＴＲＵ１１０、ノードＢ１２０、ＣＲＮＣ（制御側無線ネットワークコントローラー）１３０、ＳＲＮＣ（サービス側無線ネットワークコントローラー）１４０、およびコアネットワーク１５０を含む無線通信システム１００を示す。ノードＢ１２０、ＣＲＮＣ１３０およびＳＲＮＣ１４０はまとめて、３ＧＰＰの用語ではＵＴＲＡＮ（ユニバーサル地上無線アクセスネットワーク）として知られる。
【００１４】
図１に示すように、ＷＴＲＵ１１０はノードＢ１２０と通信し、ノードＢ１２０はＣＲＮＣ１３０およびＳＲＮＣ１４０と通信する。３つのＷＴＲＵ１１０、１つのノードＢ１２０、１つのＣＲＮＣ１３０、および１つのＳＲＮＣ１４０を図１に示してあるが、無線装置および有線装置からなるどの組合せも、無線通信システム１００に含まれ得る。
【００１５】
図２は、図１の無線通信システム１００の多重セル可能ＷＴＲＵ１１０の機能ブロック図２００である。ＷＴＲＵ１１０は、たとえば、ＣＥＬＬ専用チャネル（ＤＣＨ）（ＣＥＬＬ＿ＤＣＨ）状態、または他の状態において移動手順（モビリティ手順）を実施し向上するように構成される。
【００１６】
典型的なＷＴＲＵにおいて見ることができる構成要素に加え、多重セルＷＴＲＵ１１０は、無線データの送受信を容易にするアンテナ１１８と、多重セル無線信号を受信するように構成された受信機１１６と、多重セル動作のための移動手順を実装するように構成されたプロセッサー１１５と、送信機１１７とを含む。受信機１１６は、２つ以上のキャリアにより通信内容を受信することが可能な単一受信機でも、それぞれが単一キャリアを介して通信内容を受信することが可能な受信機など、受信機の集合体でもよい。
【００１７】
アンテナ１１８は、単一アンテナまたは多重アンテナを備え得る。多重受信機／多重アンテナ実施形態の一構成例では、各アンテナは、それ自体の受信機に接続される。
【００１８】
図２の構成例において、受信機１１６および送信機１１７は、プロセッサー１１５と通信する。アンテナ１１８は、受信機１１６および送信機１１７両方と通信して、無線データの送受信を容易にする。
【００１９】
ＷＴＲＵ例１１０は、ＷＴＲＵ１１０がスイッチオンされると、非ＣＥＬＬ＿ＤＣＨ状態で公衆地上移動ネットワーク（ＰＬＭＮ）探索を実施するように構成される。ＷＴＲＵ１１０は、ＰＬＭＮ探索中に２つ以上のキャリアを監視することによって、ＰＬＭＮ選択を促進するように構成すればよい。したがって、ＷＴＲＵ１１０は、アンテナ１１８および受信機１１６を使ってＰＬＭＮ探索中に２つ以上のキャリアを同時に走査（スキャン）するように構成してよい。キャリアごとに、ＷＴＲＵ１１０は、最も強いセルを見つけることができる。ＷＴＲＵ１１０は次いで、システム情報（ＳＩ）をデコードして、セルが関連付けられているＰＬＭＮを識別することができる。したがって、ＷＴＲＵ１１０は、両方のキャリアにおいてＢＣＣＨ（ブロードキャスト制御チャネル）をデコードするよう要求され得る。ＷＴＲＵ１１０は次いで、その結果に基づいて、どのＰＬＭＮを選択するか判定すればよい。
【００２０】
ＵＴＲＡＮは、ＵＴＲＡＮがＷＴＲＵ用の補足セルとして使うことを望むセルにＷＴＲＵ１１０が留まり、再選択することを制限するように構成することができる。ＵＴＲＡＮは、したがって、キャリアに優先順位を割り当てるように構成してよく、たとえば二重セルの場合、アンカーセルには補足セルを上回る優先順位を与えてよく、或いは、同じセクター内の補足キャリアには、異なる優先順位が割り当てられてよい。ＵＴＲＡＮは、システム情報ブロック（ＳＩＢ）によりキャリア優先順位情報をブロードキャストすることができる。ＵＴＲＡＮは、この目的のために、新しい情報要素（ＩＥ）である「キャリア優先順位（Carrier priority）」または既存の任意のＩＥを用いるように構成され得る。
【００２１】
別の方法では、キャリアに優先順位を割り当てなくてよい。たとえば、ブロードキャストされた新しいＩＥ「補足セル（Supplementary Cell）」を受信することによって、セルが補足セルであることを二重セルＷＴＲＵに認識させてもよく、アンカーキャリアが常に補足キャリアより高い優先順位を持つように、アンカーセルと補足セルとの間に暗黙の優先順位を持たせてＷＴＲＵを構成してもよい。
【００２２】
ＷＴＲＵ１１０がスイッチオンされ、初期セル探索を実施しているとき、ＷＴＲＵ１１０は、セルに関するいかなる情報も持っていない場合がある。したがって、ＷＴＲＵ１１０は、通信システム１００に配分された周波数帯中のすべてのＲＦキャリアを走査（スキャン）すればよい。ＷＴＲＵ１１０は、走査中に情報を収集し、セル選択を実施する際、キャリア優先順位を考慮するように構成してよい。キャリア優先順位は、ＷＴＲＵ１１０に優先順位を知らせる、ブロードキャストされた新しい情報要素、または二重セル実施形態においてキャリアがアンカーキャリアであるか、それとも補足キャリアであるかをＷＴＲＵ１１０に対して示すＩＥを含み得るが、それに限定されない。
【００２３】
ＷＴＲＵ１１０は、ＷＴＲＵ１１０が補足キャリアまたは優先順位が最も低いキャリアを検出した場合、測定したセルを不適切と、或いはキャリア全体を不適切なキャリアとみなすように構成することができる。ＷＴＲＵ１１０は、キャリア全体が不適切なキャリアであると判定した場合、そのキャリアにおいて適切なセルを探すのを完全に停止するように、また、次のキャリアの評価に移るように構成してよい。ＷＴＲＵ１１０は次いで、最も高いキャリア優先順位を持つ、またはアンカーセルであるキャリアにおける最良セルを探索することができる。優先順位が最も高いセルにおいて適切なセルが見つからないケースでは、ＷＴＲＵ１１０は、その上に留まるべき、優先順位がより低いキャリアまたは補足キャリアを探索すればよい。適切なセルが見つかった場合、ＷＴＲＵ１１０は、そのセルに留まってよい。このＷＴＲＵ１１０は、この方法をセル再選択に用いるようにも構成することができる。
【００２４】
ＷＴＲＵ１１０は、優先順位がより低いキャリア、または補足キャリアにＷＴＲＵ１１０が留まるとき、優先順位が同じキャリア内で他のより高い優先順位を定期的に（所定の時間またはＵＴＲＡＮによって設定された時間に）走査し探索するように構成することができる。ＷＴＲＵ１１０は、優先順位がより高いキャリアにＷＴＲＵ１１０が留まるとき、セルを定期的に（すなわち、測定機会中に）探索するように構成することができる。たとえば、ＷＴＲＵは、優先順位が同じキャリアおよび／若しくは同じ優先順位を持つ他のキャリア内のセル内を探索するように、現在のセルの品質若しくは受信信号レベルが或る一定の閾値を下回り、優先順位が同じキャリア上の他のどのセルもセル選択／再選択要件を満たさない場合は優先順位がより低いキャリアを探索するように、かつ／またはセルの品質若しくは受信信号レベルが或る一定の閾値を下回る場合は優先順位がより低いキャリアを探索するように構成することができる。
【００２５】
ＷＴＲＵ１１０は、キャリア優先順位情報を含む格納情報を用いて、優先順位がより高いキャリア内で適切な他のセルが見つからない場合、ＷＴＲＵ自体がキャリアにおけるより低い優先順位に対して測定を行うのを制限するように構成することができる。キャリア優先順位の概念は、異なるキャリアが異なる優先順位を割り当てられ得る多重キャリアネットワーク展開に用いることもできる。
【００２６】
キャリア優先順位を用いてＷＴＲＵを制限するのに用いられる方法のフロー図例を、図４に示す。ＷＴＲＵが、帯域中のすべてのＲＦキャリアを走査して、少なくともキャリア優先順位を含む情報を取得する（ステップ４００）。キャリア全体が不適切であることをキャリア優先順位が示す場合、ＷＴＲＵは、キャリアの走査を中止し、次のキャリアにおいて適切なセルを見つけることを試みる（ステップ４０１）。
【００２７】
適切なセルが検出された場合、ＷＴＲＵは、キャリア優先順位が最も高いキャリア内で最良セルを探索すればよい（ステップ４０２）。最も高いキャリア優先順位において適切なセルを検出すると、ＷＴＲＵは、検出されたセルに留まる（ステップ４０４）。ＷＴＲＵが、優先順位が最も高いキャリア内で適切なセルを検出することができなかった場合、優先順位がより低いキャリア、または補足キャリアを求める探索が実施され（ステップ４０３）、ここでＷＴＲＵは、優先順位がより低いキャリアまたは補足キャリアにおける最良検出セルに留まる（ステップ４０４）。
【００２８】
従来のＷＴＲＵは、どのキャリアに留まることも、接続されることも認められる。一部のシナリオでは、ＵＴＲＡＮは、従来のＷＴＲＵのアクセスを、補足キャリアまたは補足キャリアの一部に制限するように構成することができる。したがって、ＵＴＲＡＮは、セル状況を、「除外（禁止）（barred）」または「オペレータ使用に予約（reserved for operator use）」または「将来の拡張に予約（reserved for future extension）」と示す可能性がある。さらに、ＵＴＲＡＮは、この状況を、ＩＥ「周波数内セル再選択（Intra-frequency cell re-selection）」を「不許可（not allowed）」にセットすることによって、周波数全体、またはキャリア周波数にまで拡張してよい。或いは、ＵＴＲＡＮは、こうした周波数を、ブロードキャストされた隣接セルリストに含めなくてよく、したがって従来のＷＴＲＵは、こうした周波数を選択または再選択用に検討しなくてよい。
【００２９】
セルを除外し、セルを予約し、または隣接リストに周波数を含めないことにより、多重セルＷＴＲＵ１１０さえも、やはりこのキャリアに留まる／選択する／再選択することを制限することができる。したがって、多重セルＷＴＲＵ１１０は、セル／キャリアが補足キャリアであること、または何らかのタイプのより低い優先順位を持つことが分かっている場合は、除外／予約指示を無視するように構成してよい。或いは、ＤＣ−ＨＳＤＰＡ  ＷＴＲＵは、ＤＣ−ＨＳＤＰＡ  ＷＴＲＵの除外／予約に特有の、新しいＩＥを読むように構成する。セルがアンカーセルであり、または他のどの指示も入手可能でない場合、ＤＣ−ＨＳＤＰＡ  ＷＴＲＵは、ブロードキャストセル状況を検討する。
【００３０】
将来の発展に対処するために、セルの間の周波数間ハンドオーバをＷＴＲＵに実施させるための新しい測定基準およびイベントが望まれる。さらに、周波数間ハンドオーバはセル内部で起こり得るので、データ損失が比較的低い、より円滑なハンドオーバ手順が望まれる。
【００３１】
ＷＴＲＵは、セル下りアクセスチャネル（ＣＥＬＬ＿ＦＡＣＨ）状態に関する方法を実装するように構成することができ、ここでは、第２のキャリアを受信する受信機が、ＣＥＬＬ＿ＦＡＣＨ状態にある間に周波数間測定を行う。ＵＴＲＡＮは、ＤＣ−ＨＳＤＰＡのためのＷＴＲＵの能力を、ＷＴＲＵがアンカーまたは主キャリアにおけるＦＡＣＨ測定機会を要求しないという指示として用いればよい。ＷＴＲＵ１１０はしたがって、主キャリアを受信する主受信機と、第２または補足キャリアを受信する補足受信機とを有して構成し、また、補足受信機を使って測定機会中に測定を行うと決定するように構成してよい。このような構成は、他の機会に測定を行う柔軟性も持たせる。ＷＴＲＵがアンカーまたは主キャリアに対して測定機会を利用しないことをＵＴＲＡＮのノードＢが認識させられると、こうした期間中にノードＢが不連続受信（ＤＲＸ）を用いる必要がなくなる。
【００３２】
ＣＥＬＬ＿ＤＣＨ状態では、ＷＴＲＵ１１０およびＵＴＲＡＮは、同じセクター内部で、または異なるセクターにおけるセルの間で補足キャリアハンドオーバを実施するように構成すればよい。さらに、同時に起こるアンカーセルおよび補足セルのハンドオーバが認められてよい。これは、負荷最適配分シナリオ用または階層展開用のＵＴＲＡＮによって実施することができ、ここで同じセクター内部のキャリアの１つまたは複数が、異なるカバーエリアを持つ。図３は、この展開の例を示し、アンカーセルはキャリア１内にあり、補足セルはキャリア２内にある。図３から分かるように、キャリア２を使うセルは、キャリア１を使うセルより小さいカバーエリアを持つ。
【００３３】
多重キャリア展開では、ＷＴＲＵ１１０は、ＷＴＲＵがその上で接続され得る２つのキャリア以外の、同じセクター内部の他のキャリアを定期的に測定するように構成すればよい。或いは、ＷＴＲＵ１１０は、ＵＴＲＡＮによって、同じセル内の他のキャリアを測定するように構成してよい。ＵＴＲＡＮは、無線資源制御（ＲＲＣ）ＭＥＡＳＵＲＥＭＥＮＴ  ＣＯＮＴＲＯＬメッセージを使って、この構成を送信するように構成してよい。ＲＲＣ測定制御メッセージは、同じセクター内部でサポートされるキャリアについての情報を提供するように拡張することができる。ＷＴＲＵ１１０は次いで、圧縮モード測定ギャップを用いてこうした他のキャリアにおける測定を行うように構成することができる。
【００３４】
ＷＴＲＵ１１０はさらに、定期的に、またはＭＥＡＳＵＲＥＭＥＮＴ  ＣＯＮＴＲＯＬメッセージによりＵＴＲＡＮによって指令された場合に、他のキャリアにおける測定を実施するように構成することができる。或いは、ＷＴＲＵ１１０は、補足セルまたはアンカーセルのうち少なくとも一方の共通パイロットチャネル（ＣＰＩＣＨ）信号品質、たとえば、１チップ当たりのエネルギー対干渉電力密度（Ｅｃ／Ｎｏ）および／または希望波受信電力（ＲＳＣＰ））が閾値を下回った場合に測定を行うように構成することができる。この測定は、アンカーまたは補足セルが、監視セットにある最良セルである間に実施することができる。
【００３５】
同じセル内部での補足キャリアハンドオーバまたは二重キャリアハンドオーバを認めるために、トリガの１つまたはその組合せを、ＷＴＲＵ１１０用に構成することができる。こうしたトリガは、「隣接するセルキャリア」がシステム設定閾値を上回ること、「隣接するセルキャリア」のＣＰＩＣＨ測定値が補足キャリアおよび／若しくはアンカーキャリアより優れていること、ＵＴＲＡＮによって負荷最適配分目的のためのハンドオーバを実施するのに使われ得る報告範囲に「隣接するセルキャリア」が入ること、報告範囲を「隣接するセルキャリア」が出ること、並びに／または補足キャリアのＣＰＩＣＨ測定値がシステム設定閾値を下回ったことを示すＣＰＩＣＨ測定値を含み得る。こうしたトリガはそれぞれ、選択された持続時間だけイベントが存在することを要求し得る。ＷＴＲＵ１１０は、上記トリガの１つが起きたときに測定報告を送信するように構成すればよい。ＵＴＲＡＮは、このような報告を用いて、ハンドオーバ手順を開始するように構成すればよい。
【００３６】
ＷＴＲＵは、受信するキャリアすべてに対してチャネル品質情報（ＣＱＩ）報告を生成するように構成することができる。ＵＴＲＡＮは、補足キャリアについての受信ＣＱＩ報告に基づいて、補足キャリアを解放するか、それとも一時的にディスエーブルにするか判定するように構成することができる。たとえば、選択された受信ＣＱＩ報告量が所定の値を下回る場合、ＵＴＲＡＮは、補足キャリアを解放し、またはディスエーブルにするように構成すればよい。補足キャリアがアンカーセルとは異なるカバーエリアを持つとＵＴＲＡＮが認識する場合、ＵＴＲＡＮは、アンカーセルと同じカバーエリアの下にある別の補足キャリアにＷＴＲＵ１１０を向け直せばよい。或いは、ＵＴＲＡＮは、アンカーセルとの接続を維持してよい。この状況において、ＵＴＲＡＮは、ＷＴＲＵ１１０に対して他のキャリアについての測定報告をリクエストすることもできる。
【００３７】
代替法では、生成されたＣＱＩ値は、ＷＴＲＵ１１０によって、他のキャリアにおける測定を開始するため、或いは測定報告をトリガするための内部トリガとして使うことができる。測定報告は、同じセクター、または隣接するセクター内の他のキャリアの品質を報告し得る。
【００３８】
或いは、ＷＴＲＵ１１０は、失敗ダウンリンク（ＤＬ）メディアアクセス制御（ＭＡＣ）プロトコルデータ単位（ＰＤＵ）（ＤＬ  ＭＡＣ  ＰＤＵ）の数、たとえば、ＣＲＣ検査を通らなかったＰＤＵの数を監視するように構成することができる。ＷＴＲＵ１１０は、補足セルに対して、設定された期間中の失敗ＤＬ  ＭＡＣ  ＰＤＵの数および／または連続失敗ＤＬ  ＭＡＣ  ＰＤＵの数という基準の一方またはその組合せに関して検査を実施することができる。こうした数は、それぞれの閾値を超える場合、他のキャリアにおける測定用トリガとして働き得る。ＷＴＲＵ１１０は、このような検査を、アンカー若しくは主セルに対して単独に、または１つ若しくは複数の補足セルと組み合わせて実施することができる。
【００３９】
基準のどれかが満たされる場合、ＷＴＲＵ１１０をトリガして他のキャリアにおける測定を指揮してよく、かつ／またはセルにおける品質が閾値を下回るという指示を、上記条件の１つが真になったことを示すＣＱＩの特殊値を使ってＵＴＲＡＮに送るようにＷＴＲＵを構成してよい。或いは、１つ若しくは複数のキャリアにおける測定値を示すＲＲＣ測定報告および／またはレイヤ２（Ｌ２）メッセージ、たとえばシステム情報（ＳＩ）の特殊値若しくは特殊ヘッダーフィールドを使うＭＡＣ−ｉ  ＰＤＵペイロード中の特殊値を生成し送ることによって、セル品質をＵＴＲＡＮに対して示すようにＷＴＲＵを構成してもよい。
【００４０】
ＵＴＲＡＮは次いで、補足的キャリアを解放するかどうかの判定に関して上述したアクションの１つを実施することができる。ＵＴＲＡＮは、（連続する、または或る期間中の）受信した否定応答（ＮＡＣＫ）の数を監視して、補足セルにおける品質が低下しつつあるかどうか、また、適切なアクションがとられるべきかどうか判定することもできる。
【００４１】
さらに、ＷＴＲＵ１１０は、周波数内および周波数間測定を実施する際、「隣接するセルキャリア」測定値を報告するように構成することもできる。たとえば、イベント１ｘ、すなわちサービス側セル変更または他の任意の測定のために使われる１Ｄがトリガされた場合、ＷＴＲＵ１１０は、イベントをトリガした主セルの「隣接するセルキャリア」のＣＰＩＣＨ測定値を報告するように構成してよい。このような報告により、ＵＴＲＡＮは、二重セル動作へのサービス側セル変更を直ちに実施することができる。
【００４２】
同じノードＢ１２０内の同じセクターのキャリアの間の周波数間ハンドオーバ、たとえば、アンカーキャリア周波数間ハンドオーバが起こると、同期および物理チャネルが新しいアンカーセル内で確立されるまで、補足キャリアとの接続が維持される。こうすることにより、データ損失およびサービスの割込みが避けられる。補足セルがアンカーまたは主セルになるケースでは、ＷＴＲＵ１１０は、高速共有制御チャネル（ＨＳ−ＳＣＣＨ）および高速物理ダウンリンク共有チャネル（ＨＳ−ＰＤＳＣＨ）を受信し続けながら、新しいＵＬチャネルを獲得し確立することができる。アンカーセルが確立されると、ＷＴＲＵ１１０は次いで、必要とされる場合は新しい補足キャリアを確立することができる。補足キャリアが変わらない場合は、新しいアンカーまたは主セルが大きく異なる場合にタイミングおよび同期でタイミング調整が実施される。
【００４３】
アンカー切換え周波数間ハンドオーバが起こると、ＭＡＣ−ｅｈｓ／ｈｓリセットは、好ましくは実施されない。こうすることにより、ＭＡＣ−ｅｈｓは同じノードＢ１２０内に配置されているので、データ損失が最小限になる。但し、アンカーおよび／または補足セルは変わりつつあるので、ＷＴＲＵ１１０は、ＨＡＲＱ（ハイブリッド自動再送リクエスト）プロセスをフラッシュする必要があり得る。ＨＡＲＱプロセスがキャリア依存の場合、ＷＴＲＵ１１０は、切り換えられている最中のキャリアに対応するＨＡＲＱプロセスをフラッシュするように構成すればよい。或いは、ＨＡＲＱプロセスがキャリア非依存の場合、ＷＴＲＵ１１０は、新しいアンカーセルからの受信が実施されると直ちにすべてのＨＡＲＱプロセスをフラッシュするように構成すればよい。別の代替法では、アンカーセルからデータを受信中であることが分かっているＨＡＲＱプロセスのみがフラッシュされる。
【００４４】
周波数間または無線アクセス技術（ＲＡＴ）間測定が実施されると、ＵＴＲＡＮは、圧縮モード測定を実施するようにＷＴＲＵを構成することができる。ＷＴＲＵは、こうした測定ギャップ中の動作周波数における受信を停止するように、また他の周波数およびＲＡＴに同調して測定を行うように構成すればよい。したがって、圧縮モード測定の方法が、多重セルＷＴＲＵによって実装される。
【００４５】
この方法によると、圧縮モード測定ギャップがＵＴＲＡＮによって構成され、ＷＴＲＵ１１０が二重受信機アーキテクチャを有する場合、ＷＴＲＵ１１０は、こうした測定ギャップを補足キャリアにのみ適用するように構成すればよい。ＭＥＡＳＵＲＥＭＥＮＴ  ＣＯＮＴＲＯＬメッセージを受信すると、圧縮モード有効化／無効化指示が受信された場合、ＷＴＲＵ１１０は、こうしたギャップが補足キャリアにのみ適用可能であり得ることが暗黙的に分かる。アンカーキャリア用に使われる送受信機は、連続アップリンク（ＵＬ）送信およびダウンリンク（ＤＬ）受信を実施するように構成すればよく、補足キャリア用に使われる受信機は、測定ギャップ中に、他の周波数および／またはＲＡＴを測定するのに使われるように構成すればよい。ＷＴＲＵがＵＬ二重キャリア動作用に構成される場合、やはりこの方法を適用することができる。
【００４６】
代替法では、ＵＴＲＡＮは、どのキャリアに圧縮モード測定ギャップが適用されるかをＭＥＡＳＵＲＥＭＥＮＴ  ＣＯＮＴＲＯＬメッセージ中でＷＴＲＵ１１０に示し得る。ＭＥＡＳＵＲＥＭＥＮＴ  ＣＯＮＴＲＯＬメッセージは、したがって、測定ギャップが適用されるキャリア周波数を与えるように拡張される。ＷＴＲＵ１１０は、指示されたキャリア用の受信機を使って測定ギャップ中にこのメッセージを受信すると、測定の実施を開始するように構成すればよい。
【００４７】
別の代替法では、ＷＴＲＵ１１０は、アンカーセルのみが、それに対して適用される測定ギャップを持つように構成されるかどうか判定するように構成すればよく、次いで、アンカーセルに測定ギャップを適用する。さらに別の代替法では、両方の受信機が、ＭＥＡＳＵＲＥＭＥＮＴ  ＣＯＮＴＲＯＬメッセージ中で与えられる同じ整合測定ギャップを用いて測定を実施するように構成され得る。両方の受信機は、測定ギャップまたはオフセットがキャリアごとに異なるように構成される別の代替法において測定を実施するように構成されてよく、その結果いかなる割込みもなくＷＴＲＵ１１０にデータを送ることができ、ＷＴＲＵ１１０は、２つのキャリアの一方においてデータを連続して受信することができる。
【００４８】
単一受信機チェーンアーキテクチャを持つにも関わらず近接キャリアとの多重セル動作が可能であり得るＷＴＲＵ、または或る周波数での測定が、別の周波数での受信中は可能でないＷＴＲＵの場合、測定ギャップは、アンカーまたは主キャリアおよび任意の補足キャリア両方に適用することができる。
【００４９】
ＷＴＲＵ測定能力は、既存または新しいメッセージを使うレイヤ３（Ｌ３）信号方式を用いてＵＴＲＡＮに信号通知され得る。ＷＴＲＵカテゴリも、このような能力をＵＴＲＡＮに知らせるのに用いられ得る。
【００５０】
ＭＩＭＯおよび／または二重セル動作用に構成されたＷＴＲＵは、上記方法を実装するように構成することができる。
【００５１】
圧縮モードの代替法として、ＷＴＲＵが、二重セルまたは多重セル動作が可能なとき、単一連続期間での補足キャリアにおける送信の割込みを実施することができ、高速周波数間測定を可能にする。このような構成は、ＷＴＲＵがアンカーまたは主キャリアと同期されている限りは補足キャリアにおける同期が要求されなくてよいので可能である。こうすることの利点は、アンカーまたは補足キャリアの場合よりも他の周波数において適切なセルを速く発見することである。
【００５２】
高速周波数間測定のために、ＵＴＲＡＮは、或る一定の期間に周波数間測定を実施するようにＷＴＲＵ１１０を構成すればよく、このような期間は、たとえば、開始時間および停止時間、または開始時間および持続期間で定義することができる。測定コマンドは、キャリアのリストを含んでよく、各周波数において測定するべきセルのリストも含んでよい。持続期間は、予め定義し、たとえばシステム情報においてＲＲＣ信号方式により予め信号通知し、またはＲＲＣ信号方式若しくは下位層信号方式、メディアアクセス制御（ＭＡＣ）若しくは物理（ＰＨＹ）層信号方式により測定が命じられたときに信号通知することができる。持続期間は、測定コマンドに含まれるセルの数から、ＷＴＲＵ１１０によって暗黙的に導出することもできる。
【００５３】
開始時間および持続期間は、ＲＲＣ、ＭＡＣまたは物理層信号方式により信号通知することもできる。ＵＴＲＡＮは、設定された周波数間測定期間中は、補足キャリアでのどのデータの送信も控えるように構成することができる。この期間中、ＷＴＲＵ１１０は、設定された周波数において指定されたセルを測定するように構成することができ、または設定された周波数において新しいセルを探索する。ＷＴＲＵ１１０は次いで、測定期間の終了後に測定結果を報告すればよい。
【００５４】
或いは、ＷＴＲＵ１１０は、ＭＥＡＳＵＲＥＭＥＮＴ  ＣＯＮＴＲＯＬに含まれる情報に基づいて、周波数間測定をいつ行うか自律的に判定し、次いで、ＷＴＲＵが測定を行うために補足キャリアにおいて不連続受信（ＤＲＸ）期間を必要とすることをＵＴＲＡＮに信号通知するように構成することができる。この間、ノードＢは、アンカーキャリアでの送信を続けるが、補足キャリアでの送信は控える。ＷＴＲＵ信号方式情報は、ＣＱＩの特殊予約値、たとえば、０または３１の値を送ることによって送信することができる。或いは、特殊予約ＣＱＩエントリを持つ新しいＣＱＩテーブルを補足キャリア用に提供してよい。測定期間の終了は、ＣＱＩの非予約値を送信し、または新しいＲＲＣメッセージ、若しくは下位層信号方式（ＭＡＣやＰＨＹ）信号を、アンカーキャリアにおいて送ることによって信号通知することができる。
【００５５】
代替的二重セル実装形態では、ＷＴＲＵ１１０は、同じキャリア中の同じノードＢ内のセルとの二重セルＨＳＤＰＡ動作を実施するように構成してよい。図５は、この展開の例を示す。図５に示すように、アンカーセルは、所与のキャリアのサービス側セルを指し、補足セルは、同じキャリア中のサービス側セルと同じノードＢに属すセクターを指す。図３に示す例では、アンカーセルはセクター１内にあり、補足セルはセクター２である。
【００５６】
ＷＴＲＵ１１０はしたがって、異なるキャリア中の同じセクターに属すセルと、或いは、上述したように、同じノードＢ１２０内および同じキャリア周波数中の異なる２つのセクターに属すセルと二重セルモードで動作するように構成すればよい。ＵＴＲＡＮは、同じ周波数二重セル動作のための構成をＷＴＲＵ１１０に与える。ＷＴＲＵ１１０は、構成された両方のセルに対して周波数情報が同じであることに基づいて、同じキャリアにおける二重セル動作が構成されると判断するように構成してよい。
【００５７】
ＵＴＲＡＮが、補足セルを同じキャリアおよびノードＢにおける或るセルから別のセルに変更することができるようにするために、補足セルの品質が、設定された時間量の間に閾値を下回ったかどうかを報告する新しい測定イベントが定義され、このような報告は、ＵＴＲＡＮによって、報告された補足キャリアをディスエーブルにするのに使うことができる。ＵＴＲＡＮによって補足セルを変更するのに用いられる別の方法では、隣接するセルの品質が補足セルより或る一定の量だけ所定の時間に優れているかどうかを報告するように定義される新しい測定イベントを用いる。また、隣接するセルの品質が、設定時間量の間に設定閾値を上回るかどうかを報告するために、新しい測定イベントを定義してよい。このような報告は、ＵＴＲＡＮによって、報告されたセルを補足セルとして構成するのに用いることができる。
【００５８】
或いは、ＵＴＲＡＮは、ＷＴＲＵ１１０から受信されたＣＱＩ報告に従って、補足セルを解放するか、それとも一時的にディスエーブルにするか判定するように構成することができる。ＣＱＩ報告の設定量が設定値を下回る場合、ＵＴＲＡＮは、補足セルを解放し／またはディスエーブルにする。別の代替法では、ＣＱＩの新しい予約値が、補足セルの品質が閾値を下回ること、および／または新しいセクターがより優れた値を持つことをノードＢに示すのに使われる。システム情報（ＳＩ）の特殊値を送ることもでき、制御情報をＭＡＣ−ｉ  ＰＤＵに組み込むこともできる。上記方法のどれも、単独で、または互いと組み合わせて、ＵＴＲＡＮによって、補足セルを変更するかどうか判定するのに用いられ得る。
【００５９】
ＨＳ−ＳＣＣＨの動作は、リリース８における二重セルキャリア動作と同様であり、異なる２つのＨＳ−ＳＣＣＨが、異なるスクランブリングコードおよび異なる高速ダウンリンク共有チャネル（ＨＳ−ＤＳＣＨ）無線ネットワーク一時識別（Ｈ−ＲＮＴＩ）を使って、２つのセルを介して送られ得る。一方法では、同じＨ−ＲＮＴＩを両方のセルに割り振ってよく、ＷＴＲＵ１１０は、ただ１つのＨ−ＲＮＴＩを監視するように構成すればよい。こうするには、ＣＲＮＣ１３０は、ＷＴＲＵ１１０が二重セルモードで動作するケースでは隣接するセクターまたはセルにおいてＨ−ＲＮＴＩを予約する必要がある。
【００６０】
ＵＬ高速個別物理制御チャネル（ＨＳ−ＤＰＣＣＨ）フィードバックチャネルは、２つのチャネル化コードを介して送られ、または形式は、２つの肯定応答／否定応答（ＡＣＫ／ＮＡＣＫ）レスポンスおよび２つのＣＱＩ報告が送られるように修正してよい。ＷＴＲＵ１１０のチャネル化コードおよびスクランブリングコードが分かっているので、両方のセルは、ＨＳ−ＤＰＣＣＨ１において情報を受信可能であり得る。
【００６１】
２つのセルの間の伝播遅延は、ＷＴＲＵ１１０の所で異なり得る。その結果、ＷＴＲＵ１１０は、アンカーセル受信タイミングに対してわずかな時間オフセットで、補足キャリアにおいてＨＳ−ＰＤＳＣＨを受信することができる。したがって、一代替法では、ＷＴＲＵ１１０は、２つのセルの間のタイミング差をＵＴＲＡＮに報告するように構成してよい。ノードＢは次いで、送信タイミング調整を行って、ＷＴＲＵ１１０での２つのセルの受信を時間整合するよう命令される。これは、既存の測定値、たとえば、システムフレーム番号（ＳＦＮ）−ＳＦＮ観測時間差、または新しい測定値を用いることによって遂行することができる。測定値は、補足キャリアが構成される前にＷＴＲＵ１１０によって、および／または設定されたタイマに依存して定期的に報告すればよい。
【００６２】
別の代替法では、２つのセルの間のタイミングは、ノードＢによって調整されない。２つのＨＳ−ＤＰＣＣＨが構成されるケースでは、補足キャリアに関連付けられたＨＳ−ＤＰＣＣＨのタイミングは、アンカー（サービス側）セルに関連付けられたＨＳ−ＤＰＣＣＨと同じタイミング関係に従う。このタイミング制限により、ＷＴＲＵ１１０は、両方のセルに対して同じ不連続送信（ＤＴＸ）パターンを用いることができる。
【００６３】
２つのセルの間のタイミングが整合されず、ＷＴＲＵ１１０が両方のセルにおけるＨＳ−ＳＣＣＨを監視するように構成され得る場合、補足セル用のＤＲＸパターンは、それに従ってＷＴＲＵ１１０の所でオフセットして、確実にダウンリンク送信全体を獲得するようにしてよい。このオフセットは、ＷＴＲＵ１１０によって自律的に算出し適用することもでき、オフセットは、ＷＴＲＵ測定値を用いてＵＴＲＡＮによって算出することもできる。
【００６４】
別の二重セル実装形態では、ＵＴＲＡＮは、アンカーセルおよび補足セル両方を介して同じ情報を送り、したがって、一定のチャネル条件において所望される場合はソフターハンドオーバを実施することができる。
【００６５】
したがって、ＵＴＲＡＮは、両方のセルを介して同じ物理チャネルデータ（すなわち移送ブロックサイズ、変調および冗長バージョン）を送るように構成することができる。この動作は、ＷＴＲＵ１１０の物理層（ＰＨＹ）にとって透過であり、このケースでは、データは、両方のセルから受信され、別個に処理され、次いで、メディアアクセス制御層（ＭＡＣ）に送られる。ＭＡＣは次いで、ダイバーシティ合成を実施し、重複パケットを破棄する。
【００６６】
代替的方法では、ＷＴＲＵ１１０は、ＵＴＲＡＮがソフター／ソフトハンドオーバを開始していることを知らされ得る。ＵＴＲＡＮは、異なる２つのＨＳ−ＤＳＣＨチャネルを介して同じ物理データを送ることができ、ＷＴＲＵ１１０は、対応するＨＡＲＱバッファに格納する前に、ＰＨＹで直接、ソフトシンボルを合成するように構成することができる。これは、たとえば、復調、等化、スクランブル解除および逆拡散の後に、両方のキャリアを介してＲＡＫＥタイプの合成を用いることによって遂行される。したがって、ソフトデータは、ＭＡＣに送られる前にＰＨＹで合成することができる。
【００６７】
別の代替法では、ＨＳ−ＳＣＣＨ指令を介して、またはソフトまたはソフターＤＣハンドオーバが実施されるケースのために定義される新しいＨＳ−ＳＣＣＨタイプを用いることによって、ＵＴＲＡＮがソフター／ソフトハンドオーバを開始していることを、ＷＴＲＵ１１０に知らせることができる。両方のセルにおけるデータは、同じＨＡＲＱプロセスに、または２つの独立ＨＡＲＱプロセスにおいて送ることができる。ＷＴＲＵ１１０は次いで、この情報を使って、ＨＳ−ＤＰＣＣＨを送り、或るＨＡＲＱプロセスが、他のＨＡＲＱプロセスに先立ってデータを首尾よく受信した場合は過剰再送信を避ける。２つのＨＡＲＱプロセスを介してデータが首尾よく受信されるケースでは、ＭＡＣは、重複検出を実施しなければならない。
【００６８】
二重セル動作におけるソフトハンドオーバを容易にし最適化するために、ＵＴＲＡＮは、適用可能な場合は、異なるＨＡＲＱプロセスを除いて、同じ情報を示す両方のセルを介して異なる２つのＨＳ−ＳＣＣＨを送るように構成すればよい。但し、ＨＳ−ＳＣＣＨに含まれる情報は同一であり、送られるデータは同じなので、両方のセル／キャリアを介して送られるデータを示すようにただ１つのＨＳ−ＳＣＣＨが送られることが好ましい場合がある。これは、両方のセル／キャリアおよび両方のセル／キャリア用に使われるＨＡＲＱプロセス（複数可）において送られるＨＳ−ＤＰＳＣＨの移送ブロック（ＴＢ）サイズ／変調を示すために、アンカーセルを介して単にＨＳ−ＳＣＣＨを送ることによって成し遂げることができる。或いは、ＨＳ−ＳＣＣＨは、両方のセル／キャリアにおいて送られるＨＳ−ＤＰＳＣＨのＴＢサイズ／変調と、アンカーおよび補足セル／キャリアによって使われる２つのＨＡＲＱプロセスの情報とを示すように、アンカーセルを介して送られる。こうした方法は、単独でも、相互に組み合わせても実施することができる。
【００６９】
同じデータを送るのに２つのＨＡＲＱプロセスが使われる場合、ＨＳ−ＳＣＣＨは、値、すなわち、アンカーセルのＨＡＲＱプロセスＩＤ（ＨＩＤ）を示す、ＨＳ−ＳＣＣＨ中で与えられるＨＩＤａを用いて、各ＴＢのＨＡＲＱプロセスＩＤ（ＨＩＤ）を示す。補足セルのＨＩＤは、ＭＩＭＯと同様のマッピングを用いて推論される。より具体的には、補足キャリアのＨＩＤは、（ＨＩＤａ＋Ｎｐｒｏｃ／２）ｍｏｄ（Ｎｐｒｏｃ）によって与えられ、この式で、Ｎｐｒｏｃは、上位層によって構成されたＨＡＲＱプロセスの数である。或いは、最初のＮｐｒｏｃ／２がアンカーによってのみ使われ、第２のグループが補足キャリアによって使われるように、ＨＡＲＱプロセスは、アンカーセルと補足セルとに分けられる。１つのＨＩＤ値が、両方のグループのＨＡＲＱプロセスＩＤを示す。別の代替法では、アンカーセルおよび補足セルのＨＡＲＱプロセスＩＤを示すのに、２つのフィールドがＨＳ−ＳＣＣＨ中で使われる。こうした代替法はそれぞれ、単独でも相互に組み合わせても、ＨＳ−ＳＣＣＨ内でＨＡＲＱプロセスＩＤを示すのに用いることができる。
【００７０】
２つのセルのＨＳ−ＤＰＳＣＨ中で同じデータが与えられるので、ソフトハンドオーバが起きているとき、いくつかのフィードバック最適化を実施することができる。したがって、ＷＴＲＵは、各セル用に異なる２つのＨＳ−ＤＰＣＣＨを生成し、ノードＢに送るように構成してよい。或いは、ＷＴＲＵは、１つのＨＳ−ＤＰＣＣＨコードを生成し送るように構成してよいが、ＨＳ−ＤＰＣＣＨの形式は、両方のセルにおけるＡＣＫ／ＮＡＣＫおよびＣＱＩ情報を含むように変えてよい。同じＨＡＲＱプロセスが両方のセルによって用いられるケースでは、ＨＳ−ＤＰＣＣＨ中で与えられるＡＣＫ／ＮＡＣＫ情報は、両方のセルに対して同一である。ノードＢは次いで、この情報を合成して、ＨＳ−ＤＰＣＣＨ情報の信頼性を増すことができる。
【００７１】
異なる２つのＨＡＲＱプロセスが使われる場合、一部のケースでは、データは、一方のセルを介しては首尾よく受信され得るが、他方のセルを介しては首尾よく受信されない。このケースにおいて、情報が両方のＨＡＲＱプロセスにおいて同じであることをＷＴＲＵ１１０が認識している場合は、ＷＴＲＵ１１０は、両方のＨＳ−ＤＰＣＣＨにおいて同一の情報を送ってよい。ＷＴＲＵ１１０は、同じＴＢを受信するＨＡＲＱプロセスの一方を介したデータが首尾よく受信される限りは、両方のＨＳ−ＤＰＣＣＨを介してＡＣＫを送るように構成してよく、ＷＴＲＵ１１０は、両方のＨＡＲＱプロセスを介したデータが首尾よく受信されない場合はＮＡＣＫを送るように構成してよい。
【００７２】
ノードＢは、ＡＣＫ／ＮＡＣＫ情報のソフト合成を実施して、受信したフィードバックの信頼性を増すことができる。
【００７３】
或いは、ＷＴＲＵ１１０は、ＡＣＫ／ＮＡＣＫ情報を別個に報告するように構成してよい。所与のＨＡＲＱプロセスにおいてデータが失敗した場合、他のＨＡＲＱプロセスがデータを首尾よく受信したとしてもＮＡＣＫが送られる。但し、ノードＢは、両方のセルを介して同じ情報が送られたと認識するので、両方のＨＳ−ＤＰＣＣＨから１つのＡＣＫが受信される限り、ノードＢは、データを、首尾よく送られたとみなしてよい。
【００７４】
別の代替法では、ソフトハンドオーバが起きていることをＷＴＲＵ１１０が認識するとき、両方のセルのフィードバック情報を含む、ただ１つのＨＳ−ＤＰＣＣＨが、アンカーセルを介して送られる。少なくとも１つのＨＡＲＱプロセスがパケットを首尾よく受信した場合、ＡＣＫが送られ、そうではなく両方のＨＡＲＱプロセスが失敗した場合、ＮＡＣＫが送られる。
【００７５】
３ＧＰＰ  ＷＣＤＭＡシステムのコンテキストにおいて本発明を記載したが、本発明は、二重または多重セル動作をサポートするどの無線通信システムにも適用可能であることが理解されよう。
【００７６】
実施形態
１．多重キャリア無線送受信ユニット（ＷＴＲＵ）のための方法において、
複数のキャリアを介してダウンリンク通信内容を受信すること、
複数のキャリアの少なくとも１つを用いて移動（モビリティ）手順を実施すること
を含む方法。
２．移動手順を実施することが、
キャリアの優先順位を示すキャリア優先順位を受信すること、および、
最も高いキャリア優先順位に関連付けられたセルに留まること
によって、セル再選択を実施することを含む実施形態１に記載の方法。
３．優先順位が最も高いキャリアを持つセルに留まることは、アンカーセルに留まることを含む実施形態２に記載の方法。
４．受信することは、２つのキャリアにおいてであり、
キャリアの１つは補足キャリアでありキャリアの１つはアンカーキャリアであるという指示を受信することであって、アンカーキャリアはアンカーセルに関連付けられ、補足キャリアは補足セルに関連付けられる、ことをさらに含む実施形態１に記載の方法。
５．優先順位は、アンカーセルまたは補足セルの知識から暗黙的に導出される実施形態２〜４のいずれか１つに記載の方法。
６．ＣＥＬＬ＿ＦＡＣＨ状態にある間、第２の受信機を使って周波数間およびＲＡＴ間測定を実施することをさらに含む上記実施形態のいずれか１つに記載の方法。
７．移動手順を実施することは、セル選択を含み、セル選択は、アンカーセルに留まることを含む実施形態４〜６のいずれか１つに記載の方法。
８．移動手順を実施することは、
新しいキャリアを求めて無線周波数（ＲＦ）キャリアを走査すること、
新しいＲＦキャリアに関連付けられた適切なセルを検出すること、
新しいキャリアが或る一定の優先順位を持つという条件で、新しいＲＦキャリアを介してダウンリンク通信を受信することを再選択すること
を含む上記実施形態いずれかに記載の方法。
９．走査することは、アンカーセルまたは補足セルの信号レベルまたは品質と、閾値との比較に基づいて実施される実施形態８に記載の方法。
１０．走査することは、同じまたはより高いキャリア優先順位を持つキャリアにおいて実施される実施形態８に記載の方法。
１１．移動手順を実施することは、
対応する補足測定機会において補足セルから不連続受信（ＤＲＸ）を受信すること、
補足キャリアにおいて周波数間測定を行うこと
を含む実施形態４〜１０のいずれか１つに記載の方法。
１２．移動手順を実施することは、補足キャリアハンドオーバを実施することを含む実施形態４〜１１のいずれか１つに記載の方法。
１３．移動手順を実施することは、アンカーキャリアおよび補足キャリア用セクター以外のセクター内部のキャリアの測定を行うことを含む実施形態４〜１２のいずれか１つに記載の方法。
１４．キャリアの測定を行うことは、アンカーセルまたは補足セルどちらかの共通パイロットチャネル（ＣＰＣＨ）信号品質と、閾値との比較に基づいてトリガされる実施形態１３に記載の方法。
１５．移動手順を実施することは、
チャネル品質指示（ＣＱＩ）を監視することをさらに含む実施形態１３に記載の方法。
１６．移動手順を実施することは、同じセクターまたは隣接するセクター内のキャリアの品質を報告するＣＱＩをトリガすること
をさらに含む実施形態１５に記載の方法。
１７．移動手順を実施することは、
補足セルにおける失敗ダウンリンク（ＤＬ）メディアアクセス制御（ＭＡＣ）プロトコルデータ単位（ＰＤＵ）の数を監視することをさらに含む実施形態７〜１６のいずれか１つに記載の方法。
１８．移動手順を実施することは、
設定された期間中に失敗ＤＬ  ＭＡＣ  ＰＤＵの数が閾値を上回るかどうか、および、連続する失敗ＤＬ  ＭＡＣ  ＰＤＵの数が閾値を上回るかどうかの少なくとも一方を調べることをさらに含む実施形態７〜１７のいずれか１つに記載の方法。
１９．隣接するセルのキャリア測定値を報告することをさらに含む実施形態７〜１８のいずれか１つに記載の方法。
２０．移動手順を実施することは、新しいアンカーセルに関連付けられた新しいアンカーキャリアにハンドオーバすることを含む実施形態４〜１９のいずれか１つに記載の方法。
２１．ハンドオーバすることは、
新しいアンカーセル内で同期および物理チャネルを確立する間、補足キャリアに関連付けられた補足セルとの接続を維持することを含む実施形態２０に記載の方法。
２２．ハンドオーバすることは、
補足キャリアが新しいアンカーキャリアとして使われる場合に新しいアンカーセルが確立されると、新しい補足セルを確立することをさらに含む実施形態２０に記載の方法。
２３．ハンドオーバすることは、
アンカーセルに対応するハイブリッド自動再送リクエスト（ＨＡＲＱ）プロセスをフラッシュすることをさらに含む実施形態２１に記載の方法。
２４．ハンドオーバすることは、アンカーセルおよび補足セルに対応するハイブリッド自動再送リクエスト（ＨＡＲＱ）プロセスをフラッシュすることをさらに含む実施形態２１に記載の方法。
２５．移動手順を実施することは、圧縮モード測定を実施することを含む実施形態４〜２４のいずれか１つに記載の方法。
２６．圧縮モード測定を実施することは、
測定制御メッセージに入れて受信された補足キャリアに測定ギャップを適用することを含む実施形態２５に記載の方法。
２７．圧縮モード測定を実施することは、
測定ギャップ中に補足キャリアを無効化することを含む実施形態２５および２６のいずれか１つに記載の方法。
２８．圧縮モード測定を実施することは、
他の周波数または無線アクセス技術（ＲＡＴ）間測定を実施すること
を含む実施形態２５〜２７のいずれか１つに記載の方法。
２９．各キャリアはセルに関連付けられ、移動手順を実施することは、
複数のキャリアそれぞれを走査して、複数のキャリアに関連付けられたセルの中から最も強いセルを判定することを含む、公衆地上移動ネットワーク（ＰＬＭＮ）選択を実施することを含む実施形態１〜２８のいずれか１つに記載の方法。
３０．各キャリアはセルに関連付けられ、移動手順を実施することは、
最も強いセルに関連付けられた公衆地上移動ネットワーク（ＰＬＭＮ）を判定することを含む、ＰＬＭＮ選択を実施することを含む実施形態２９に記載の方法。
３１．各キャリアはセルに関連付けられ、移動手順を実施することは、
最も強いセルに関連付けられると判定された公衆地上移動ネットワーク（ＰＬＭＮ）を選択することを含む、ＰＬＭＮ選択を実施することを含む実施形態２９および３０のいずれか１つに記載の方法。
３２．ＣＥＬＬ＿ＤＣＨ状態にあるとき、
チャネル品質指示（ＣＱＩ）を監視することをさらに含む実施形態１〜３１のいずれか１つに記載の方法。
３３．ＣＥＬＬ＿ＤＣＨ状態にあるとき、失敗ダウンリンクメディアアクセス制御（ＭＡＣ）プロトコルデータ単位（ＰＤＵ）の数を監視することをさらに含む実施形態１〜３２のいずれか１つに記載の方法。
３４．ＣＥＬＬ＿ＤＣＨ状態にあるとき、
補足キャリアが必要とされるかどうかを示すことをさらに含む実施形態１〜３３のいずれか１つに記載の方法。
３５．ＣＥＬＬ＿ＤＣＨ状態にあるとき、
周波数間測定を行うことをさらに含む実施形態１〜３３のいずれか１つに記載の方法。
３６．測定を行うことは、補足キャリアにおいてのみ圧縮モードギャップを用いる実施形態３５に記載の方法。
３７．測定を行うことは、アンカーキャリアおよび補足キャリアにおいて非重複圧縮モードギャップを用いる実施形態３５に記載の方法。
３８．測定を行うことは、定義された不連続受信期間を補足キャリアに対して用いる実施形態３５に記載の方法。
３９．実施形態１〜３８のいずれか１つに記載の方法を実装するように構成されたプロセッサー構成要素。
４０．実施形態１〜３８のいずれか１つに記載の方法を実装するように構成された無線送受信ユニット（ＷＴＲＵ）。
４１．プロセッサーを備える実施形態４０に記載のＷＴＲＵ。
４２．実施形態１〜３８のいずれか１つに記載の方法を実装するように構成されたノードＢ。
【００７７】
以上、特徴および要素を、具体的に組み合わせて記載したが、各特徴または要素は、他の特徴および要素なしで単独に、または他の特徴および要素ありでもなしでも、様々に組み合わせて用いることができる。ここで挙げた方法またはフローチャートは、汎用コンピューターまたはプロセッサーによる実行用のコンピューター可読記憶媒体に組み込まれる、コンピュータープログラム、ソフトウェア、またはファームウェア中に実装することができる。コンピューター可読記憶媒体の例は、ＲＯＭ（読出し専用メモリー）、ＲＡＭ（ランダムアクセスメモリー）、レジスター、キャッシュメモリー、半導体メモリー素子、内部ハードディスクおよび取外し可能ディスクなどの磁気メディア、光磁気メディア、並びに、ＣＤ−ＲＯＭディスク、およびＤＶＤ（デジタル多用途ディスク）などの光メディアを含む。
【００７８】
適切なプロセッサーは、例として、汎用プロセッサー、特殊目的プロセッサー、従来のプロセッサー、ＤＳＰ（デジタル信号プロセッサー）、複数のマイクロプロセッサー、ＤＳＰコアと関連した１つ若しくは複数のマイクロプロセッサー、コントローラー、マイクロコントローラー、ＡＳＩＣ（特定用途向け集積回路）、ＦＰＧＡ（フィールドプログラム可能ゲートアレイ）回路、他の任意のタイプの集積回路（ＩＣ）、および／または状態マシンを含む。
【００７９】
ソフトウェアと関連したプロセッサーは、無線送受信ユニット（ＷＴＲＵ）、ユーザ機器（ＵＥ）、端末、基地局、無線ネットワークコントローラー（ＲＮＣ）、または任意のホストコンピューター内で使用するための無線周波数トランシーバーを実装するのに使うことができる。ＷＴＲＵは、カメラ、ビデオカメラモジュール、テレビ電話、スピーカーフォン、振動装置、スピーカー、マイクロホン、テレビトランシーバー、ハンズフリーヘッドセット、キーボード、ブルートゥース（登録商標）モジュール、周波数変調（ＦＭ）無線ユニット、液晶ディスプレイ（ＬＣＤ）表示ユニット、有機発光ダイオード（ＯＬＥＤ）表示ユニット、デジタル音楽プレーヤー、メディアプレーヤー、ビデオゲームプレーヤーモジュール、インターネットブラウザ、および／または任意の無線ローカルエリアネットワーク（ＷＬＡＮ）若しくは超広帯域（ＵＷＢ）モジュールなど、ハードウェアおよび／またはソフトウェアで実装されるモジュールとともに使うことができる。
【図１】
2014212530.tif 000003
【図２】
2014212530.tif 000004
【図３】
2014212530.tif 000005
【図４】
2014212530.tif 000006
【図５】
2014212530.tif 000007
【手続補正書】
【提出日】平成26年7月10日(2014.7.10)
【手続補正１】
【補正対象書類名】特許請求の範囲
【補正対象項目名】全文
【補正方法】変更
【補正の内容】
【特許請求の範囲】
【請求項１】
マルチキャリア無線送受信ユニット（ＷＴＲＵ）のための方法において、
シングルキャリア周波数を経由して、複数のセルからダウンリンク通信を受信するステップであって、前記複数のセルはノードＢと関連付けられたアンカーセルおよび補足セルを含む、受信するステップと、
前記シングルキャリア周波数を経由して、前記複数のセルの１つ以上から表示を受信するステップと、
前記シングルキャリア周波数を経由した前記複数のセルの１つ以上からの前記受信された表示に基づいて、モビリティ手順を実行するステップと
を備えることを特徴とする方法。
【請求項２】
モビリティ手順を実行する前記ステップは、前記アンカーセルおよび前記補足セル上で、同時に、周波数の変更を実施するステップを含むことを特徴とする請求項１に記載の方法。
【請求項３】
モビリティ手順を実行する前記ステップは、
前記シングルキャリア周波数に関連付けられた隣接する補足セルの品質が前記補足セルの品質よりも良好であることを検出するステップと、
前記隣接する補足セルの前記品質の前記検出を示している測定リポートを送るステップと、
前記シングルキャリア周波数を経由して前記ダウンリンク通信が受信された前記複数のセルを変更して、前記アンカーセルおよび前記隣接する補足セルを含めるステップと
を含むことを特徴とする請求項１に記載の方法。
【請求項４】
前記検出するステップは、前記補足セルの信号レベルまたは前記補足セルの前記品質の閾値との比較に基づいて実行されることを特徴とする請求項３に記載の方法。
【請求項５】
前記シングルキャリア周波数を経由して前記複数のセルから受信された前記ダウンリンク送信の間の時間差を決定するステップ
をさらに備えることを特徴とする請求項１に記載の方法。
【請求項６】
モビリティ手順を実行する前記ステップは、
前記アンカーセルに関連付けられた不連続受信（ＤＲＸ）パターンを受信するステップと、
前記補足セルに関連付けられたＤＲＸパターンを、前記補足セルからの前記ダウンリンク通信を受信するダウンリンク通信の間の前記時間差だけ、前記アンカーセルに関連付けられた前記ＤＲＸパターンからオフセットさせるステップと
を含むことを特徴とする請求項５に記載の方法。
【請求項７】
モビリティ手順を実行する前記ステップは、補足セルハンドオーバを実行するステップを含むことを特徴とする請求項１に記載の方法。
【請求項８】
前記アンカーセルは、前記ノードＢの第１のセクタに関連付けられており、および、前記補足セルは前記ノードＢの第２のセクタに関連付けられていることを特徴とする請求項１に記載の方法。
【請求項９】
モビリティ手順を実行する前記ステップは、
前記アンカーセルに関連付けられた前記第１のセクタおよび前記補足セルに関連付けられた前記第２のセクタ以外のセクタ内の隣接するセルから測定を行うステップを含むことを特徴とする請求項８に記載の方法。
【請求項１０】
前記隣接するセルから測定を行う前記ステップは、前記アンカーセルまたは前記補足セルの共通パイロットチャネル（ＣＰＣＨ）信号品質の、閾値との比較に基づいて、トリガされることを特徴とする請求項９に記載の方法。
【請求項１１】
前記隣接するセルからの前記測定を報告するステップをさらに備えることを特徴とする請求項９に記載の方法。
【請求項１２】
モビリティ手順を実行する前記ステップは、
第２のアンカーセルへハンドオーバするステップを含むことを特徴とする請求項１に記載の方法。
【請求項１３】
ハンドオーバをする前記ステップは、
前記第２のアンカーセルにおいて同期および物理チャネルを確立している間に、前記補足セルとの接続を維持するステップを含むことを特徴とする請求項１２に記載の方法。
【請求項１４】
ハンドオーバをする前記ステップは、
前記第２のアンカーセルが確立された時点で、前記補足セルが前記第２のアンカーセルとして使用される場合、第２の補足セルを確立するステップをさらに含むことを特徴とする請求項１３に記載の方法。
【請求項１５】
前記複数のセルからの前記受信された表示は、前記アンカーセルまたは前記補足セルと関連付けられていることを特徴とする請求項１に記載の方法。
【請求項１６】
前記決定するステップは、
前記アンカーセルに関連付けられた周波数情報および前記補足セルに関連付けられた周波数情報を比較することによって実行されることを特徴とする請求項５に記載の方法。
【請求項１７】
シングルキャリア周波数を経由して、複数のセルからダウンリンク通信を受信し、前記複数のセルはノードＢと関連付けられたアンカーセルおよび補足セルを含むよう構成された受信機と、
前記シングルキャリア周波数を経由して、前記複数のセルの１つ以上から表示を受信するよう構成されたプロセッサと、
前記シングルキャリア周波数を経由した前記複数のセルの１つ以上からの前記受信された表示に基づいて、モビリティ手順を実行するよう構成された前記プロセッサと
を備えたことを特徴とするマルチキャリア無線送受信ユニット（ＷＴＲＵ）。
【請求項１８】
前記複数のセルから前記受信された表示は、前記アンカーセルまたは前記補足セルと関連付けられていることを特徴とする請求項１７に記載のＷＴＲＵ。
【請求項１９】
前記モビリティ手順を実行するよう構成されている前記プロセッサは、前記アンカーセルおよび前記補足セル上で、同時に、周波数の変更を実施するよう構成されている前記プロセッサ含むことを特徴とする請求項１７に記載のＷＴＲＵ。
【請求項２０】
前記モビリティ手順を実行するよう構成されている前記プロセッサは、
前記シングルキャリア周波数と関連付けられた隣接する補足セルの品質が前記補足セルの品質よりも良好であることを検出し、
前記隣接する補足セルの前記品質の前記検出を示している測定リポートを送り、および、
前記シングルキャリア周波数を経由して前記ダウンリンク通信が受信された前記複数のセルを変更して、前記アンカーセルおよび前記隣接する補足セルを含める
よう構成されている前記プロセッサ含むことを特徴とする請求項１７に記載のＷＴＲＵ。
【請求項２１】
前記プロセッサは、前記補足セルの信号レベルまたは前記補足セルの前記品質の閾値との比較に基づいて、前記検出を実行するよう構成されたことを特徴とする請求項２０に記載のＷＴＲＵ。
【請求項２２】
前記プロセッサは、前記シングルキャリア周波数を経由して前記複数のセルから受信された前記ダウンリンク送信の間の時間差を決定するよう構成されたことを特徴とする請求項１７に記載のＷＴＲＵ。
【請求項２３】
前記モビリティ手順を実行するよう構成されている前記プロセッサは、
前記アンカーセルに関連付けられた不連続受信（ＤＲＸ）パターンを受信し、および、
前記補足セルに関連付けられたＤＲＸパターンを、前記補足セルからの前記ダウンリンク通信を受信するダウンリンク通信の間の前記時間差だけ、前記アンカーセルに関連付けられた前記ＤＲＸパターンからオフセットさせる
よう構成されている前記プロセッサ含むことを特徴とする請求項２２に記載のＷＴＲＵ。
【請求項２４】
前記時間差を決定するよう構成されている前記プロセッサは、前記アンカーセルに関連付けられた周波数情報および前記補足セルに関連付けられた周波数情報を比較するよう構成されている前記プロセッサを含むことを特徴とする請求項２２に記載のＷＴＲＵ。
【請求項２５】
前記モビリティ手順を実行するよう構成されている前記プロセッサは、補足セルハンドオーバを実行するよう構成されている前記プロセッサ含むことを特徴とする請求項１７に記載のＷＴＲＵ。
【請求項２６】
前記モビリティ手順を実行するよう構成されている前記プロセッサは、第２のアンカーセルへハンドオーバするよう構成されている前記プロセッサ含むことを特徴とする請求項１７に記載のＷＴＲＵ。
【請求項２７】
前記ハンドオーバを実行するよう構成されている前記プロセッサは、
前記第２のアンカーセルにおいて同期および物理チャネルを確立している間に、前記補足セルとの接続を維持するよう構成されている前記プロセッサ含むことを特徴とする請求項２６に記載のＷＴＲＵ。
【請求項２８】
前記ハンドオーバを実行するよう構成されている前記プロセッサは、
前記第２のアンカーセルが確立された時点で、前記補足セルが前記第２のアンカーセルとして使用される場合、第２の補足セルを確立するよう構成されている前記プロセッサ含むことを特徴とする請求項２７に記載のＷＴＲＵ。
【請求項２９】
前記アンカーセルは、前記ノードＢの第１のセクタに関連付けられており、および、前記補足セルは前記ノードＢの第２のセクタに関連付けられていることを特徴とする請求項１７に記載のＷＴＲＵ。
【請求項３０】
前記モビリティ手順を実行するよう構成されている前記プロセッサは、
前記アンカーセルに関連付けられた前記第１のセクタおよび前記補足セルに関連付けられた前記第２のセクタ以外のセクタ内の隣接するセルから測定を行うよう構成されている前記プロセッサ含むことを特徴とする請求項２９に記載のＷＴＲＵ。
【請求項３１】
前記プロセッサは、前記アンカーセルまたは前記補足セルの共通パイロットチャネル（ＣＰＣＨ）信号品質の閾値との比較に基づいて、前記測定をトリガするよう構成されたことを特徴とする請求項３０に記載のＷＴＲＵ。
【請求項３２】
前記プロセッサは、前記隣接するセルからの前記測定を報告するようさらに構成されたことを特徴とする請求項３０に記載のＷＴＲＵ。
【外国語明細書】
2014212530000001.pdf